(57)【特許請求の範囲】
【請求項１】
ある番組のメタデータが、少なくとも、上記番組の放送日時と、上記番組の番組宣伝の放送の開始時刻および放送時間（あるいは終了時刻。以下同様）と、上記番組および上記番組宣伝の放送されるチャンネルとのデータを有する場合において、
上記メタデータのうちの上記番組宣伝の放送の開始時刻および放送時間にしたがって上記番組宣伝を録画し、
この録画した番組宣伝をユーザの操作にしたがって選択的に再生して表示するとともに、
この表示された番組宣伝に対して録画の予約の操作をしたとき、その表示された番組宣伝に対応する番組の録画の予約を行う
ようにした録画予約方法であって、
上記メタデータが上記番組に関連するサイトの情報をさらに有する場合に、
上記表示された番組宣伝に対して接続の操作をしたとき、上記番組に関連するサイトの情報にしたがって、上記表示された番組宣伝に対応するサイトに接続する
ようにした録画予約方法。
【請求項２】
請求項１に記載の録画予約方法において、
上記メタデータは上記番組に関連するメタ情報をさらに有し、
上記メタデータのうちの上記番組宣伝の放送の開始時刻および放送時間にしたがって上記番組宣伝を録画するとき、
ユーザの設定したキーワードが上記メタ情報に含まれる番組宣伝だけを録画する
ようにした録画予約方法。
【請求項３】
ある番組のメタデータが、少なくとも、上記番組の放送日時と、上記番組の番組宣伝の放送の開始時刻および放送時間と、上記番組および上記番組宣伝の放送されるチャンネルとのデータを有する場合において、
上記メタデータを取得する取得手段と、
この取得手段により取得した上記メタデータのうちの上記番組宣伝の放送の開始時刻および放送時間にしたがって上記番組宣伝を保存ないし記憶するための記憶装置と、
この録画した番組宣伝をユーザの操作にしたがって選択する選択手段と、
この選択手段により選択された番組宣伝を再生して出力する出力手段と、
この出力手段から出力された番組宣伝の表示画面に対して、録画の予約の操作をしたとき、その表示された番組宣伝に対応する番組の録画の予約を行う予約手段と
を有し、
この予約手段により上記表示された番組宣伝に対応する番組を、上記記憶装置に予約録画する
ようにした情報処理装置であって、
上記メタデータが上記番組に関連するサイトの情報をさらに有する場合に、
上記表示された番組宣伝に対して接続の操作をしたとき、上記番組に関連するサイトの情報にしたがって、上記表示された番組宣伝に対応するサイトに接続する手段
を有する情報処理装置。
【請求項４】
請求項３に記載の情報処理装置において、
上記メタデータが上記番組に関連するメタ情報を有するとき、
視聴者の設定したキーワードにより上記メタ情報に含まれる番組宣伝を検索して選択する選択手段
を有し、
この選択手段によって選択された番組宣伝の放送の開始時刻および放送時間にしたがって上記番組宣伝を録画する
ようにした情報処理装置。
【発明の詳細な説明】
【技術分野】
【０００１】
この発明は、録画予約方法および情報処理装置に関する。
【背景技術】
【０００２】
テレビ番組をビデオレコーダに予約して録画する場合、その録画の予約をする方法として、
(A) その番組が放送されるチャンネルおよび時刻をビデオレコーダに直接設定する。  
(B) Ｇコードを設定する。  
(C) ＥＰＧから目的とする番組を選択・指定する。  
(D) 上記(C)を拡張した機能で、例えば、タレント○○の出演する番組を録画したい場合であれば、ビデオレコーダに文字列○○を登録しておく。すると、ＥＰＧに文字列○○が含まれている番組がすべて自動的に予約録画される。  
などの方法がある。
【０００３】
なお、先行技術文献として例えば以下のものがある。
【特許文献１】特開２００６−５０６６２号公報
【発明の開示】
【発明が解決しようとする課題】
【０００４】
ところが、(A)〜(C)の方法は、番組ごとに録画の予約を設定する必要があり、操作が面倒である。また、録画したい番組をあらかじめ知っておく必要もあり、知らないと、見たい番組の録画を見逃すことがある。
【０００５】
その点、(D)の方法は、一度、文字列○○を登録しておけば、ＥＰＧにその文字列○○が含まれる番組がすべて録画されるので、操作が簡単であり、予約録画を忘れることもない。しかし、ＥＰＧはあまり詳細な情報までは含んでいないので、文字列○○が番組の内容などに該当していてもＥＰＧに含まれていない場合には、録画されないことになる。
【０００６】
さらに、(A)〜(D)の方法は、基本的に番組単位の録画となるので、その番組の全編を見るまで、その番組について評価できない。このため、視聴者（ビデオレコーダのユーザ）によっては、あまり見る価値のない番組でも全編を見ることになってしまう。
【０００７】
この発明は、以上のような問題点を解決しようとするものである。
【課題を解決するための手段】
【０００８】
この発明においては、
ある番組のメタデータが、少なくとも、上記番組の放送日時と、上記番組の番組宣伝の放送の開始時刻および放送時間（あるいは終了時刻。以下同様）と、上記番組および上記番組宣伝の放送されるチャンネルとのデータを有する場合において、
上記メタデータのうちの上記番組宣伝の放送の開始時刻および放送時間にしたがって上記番組宣伝を録画し、
この録画した番組宣伝をユーザの操作にしたがって選択的に再生して表示するとともに、
この表示された番組宣伝に対して録画の予約の操作をしたとき、その表示された番組宣伝に対応する番組の録画の予約を行い、
上記メタデータが上記番組に関連するサイトの情報をさらに有する場合に、
上記表示された番組宣伝に対して接続の操作をしたとき、上記番組に関連するサイトの情報にしたがって、上記表示された番組宣伝に対応するサイトに接続する
ようにするものである。
【発明の効果】
【０００９】
この発明によれば、番宣から対応する番組の録画の予約をすることができる。また、番宣の録画の操作が簡単である。さらに、録画したい番組をあらかじめ知っておく必要もなく、見たい番組の録画を見逃すこともない。
【００１０】
また、番宣の内容から該当する番組を録画するか否かを判断することができ、ユーザにとってあまり見る価値のない番組の全編を見る必要がない。さらに、番宣が商品などの番宣の場合には、その番宣のサムネイルをその商品を販売するサイトにリンクさせておくことにより、その商品のシームレスな購入ができる。
【発明を実施するための最良の形態】
【００１１】
〔１〕  用語の説明
ここでは、以後の説明で使用する用語の一部について説明する。
【００１２】
〔１−１〕  番組宣伝（番宣）
例えば、連続ドラマでは番組の最後に次回の予告を放送することが多いが、この予告のように、テレビで放送される番組を15〜30秒程度に要約し、これをコマーシャルとして放送すること。  
ただし、この発明においては、テレビで放送される番組の要約以外にも、現在上映中の映画や近日上映の映画のコマーシャルなどのように、特定の番組（コンテンツ）の要約の放送も含むものとする。なお、以下、番組宣伝を「番宣」と略称する。
【００１３】
〔１−２〕  ＥＣＧ（電子コンテンツ案内）
任意の番組について、その番組のメタデータを所定の条件にしたがって関連付けしたもの。そのメタデータとして、対応する番組の識別コード、名称（番組名）、放送日、放送開始時刻、放送時間（時間長）、ジャンル、出演者、その他の各種の関連情報、検索用のキーワード、アイコン表示用の静止画の画像データなどがあり、そのうち、該当する番組に必要なものがＥＣＧに含まれる。
【００１４】
そして、ＥＣＧは、番組がコーナーを単位として構造化されているもので、そのコーナーの１つとして、番宣がある。
【００１５】
図１は、ＥＣＧのうち、番宣とその時刻データとの関係について示すもので、ある番組の放送が時刻ｔSに開始され、時刻ｔEに終了する。そして、番組の放送中、時刻ｔ1Sになると、第１番目の番宣＃１の放送が開始され、時間ｔ1Dが経過すると、終了する。また、時刻ｔ2Sになると、第２番目の番宣＃２の放送が開始され、時間ｔ2Dが経過すると、終了する。以下、同様にして番宣＃ｎまで番宣が放送される。そして、この時刻ｔS、ｔiS、ｔiD、ｔE（ただし、i＝1〜n）のデータを、ＥＣＧが持っているものである。
【００１６】
なお、放送開始時刻ｔSは絶対時刻（日時）であるが、他の時刻ｔiは、番組内における相対時刻（放送開始時刻ｔSを基準とする）とされている。また、番宣＃１〜＃ｎが放送されていない時間は、番組の本編や他のコマーシャルなどが放送されているが、これらにも番宣＃１〜＃ｎと同様、メタデータが付加されている。
【００１７】
また、番宣のメタデータには、
[1] 番宣の名称
[2] 放送開始時刻ｔiS
[3] 放送時間（時間長）ｔiD
[4] キーワード
[5] 参照番組ＩＤ
[6] その他の情報（概要、ＵＲＬなど）
などがある。
【００１８】
ここで、[5]の「参照番組ＩＤ」は、番宣が宣伝の対象としている番組（対象番組）を特定するための識別コードである。したがって、ビデオレコーダにより対象番組の録画を予約するとき、この参照番組ＩＤを用いることにより、その予約の設定ができる。あるいは、この参照番組ＩＤをサービスサーバに送信したとき、そのサーバが対象番組を特定し、ビデオレコーダに録画予約を設定するようにもできる。
【００１９】
さらに、この参照番組ＩＤは、録画予約のように将来的に放送される番組を予約するときだけに使用するのではなく、録画を終えた番組や録画をしないうち放送時刻を過ぎた番組についても、対象番組を特定して出演者の情報、関連グッズの購入情報など、関連する情報を取得するために使用することもでき、あるいは再放送の予定などをユーザが知るために用いることもできる。
【００２０】
〔２〕  この発明の概要
ここでは、この発明を適用したビデオレコーダの予約録画の設定方法およびそのときの表示例を説明する。なお、以下におけるビデオレコーダは、テレビ放送の受信用のチューナを内蔵することにより、テレビ放送を録画・再生でき、そのビデオ信号をディスプレイに出力する場合である。
【００２１】
〔２−１〕  前処理（番宣の録画）
(1) 視聴者は、予約録画をする番組について、文字列○○をあらかじめビデオレコーダに登録しておく。この文字列○○は、その番組のＥＣＧのメタデータに含まれるものであれば、何でもよい。
【００２２】
(2) すると、ビデオレコーダにおいては、各番組のそれぞれのＥＣＧに対して、文字列○○をキーワードとして検索が行われ、それらＥＣＧのうち、文字列○○を含む番宣が選択され、この選択された番宣を放送するチャンネルと、その番組の開始時刻ｔSと、その番宣の開始時刻ｔiSおよび放送時間ｔiDとが録画予約用のデータとして取り出される。
【００２３】
(3) 上記(2)により取り出された録画予約の用データのうち、開始時刻ｔiSおよび放送時間ｔiDが示す時間に、(2)により取り出された録画予約用データの示すチャンネルの録画が実行される。
【００２４】
したがって、この〔２−１〕によれば、あらかじめ文字列○○をビデオレコーダに登録しておくと、その文字列○○を含む番宣がＥＣＧのメタデータに基づいて選択され、ビデオレコーダに順次録画されていくことになる。
【００２５】
〔２−２〕  番組の録画の設定
上述のように、〔２−１〕によれば、あらかじめ文字列○○をビデオレコーダに登録しておくと、その文字列○○を含む番宣がビデオレコーダに順次録画されていくが、このビデオレコーダに録画された番宣は、以下のような表示方法により番組の録画の設定に使用される。
【００２６】
〔２−２−１〕  第１の表示方法による録画の設定
図２において、符号SCRNは、ビデオレコーダから出力されるビデオ信号を表示した表示画面の一例を示す。この表示画面SCRNには、アイコンＡ1〜Ａ8が、水平方向に１行に表示されるとともに、所定の操作にしたがって、アイコンＡ1〜Ａ8は水平方向にスクロールされるものである。
【００２７】
この場合、アイコンＡ1〜Ａ7は、信号源、すなわち、コンテンツを提供するソースの属性やカテゴリを示す属性アイコンであり、この例においては、左から第３番目の属性アイコンＡ3が、この発明によるビデオレコーダに対応するものである。また、アイコンＡ8は、ビデオレコーダの調整モードないし設定モードに遷移するためのものである。
【００２８】
そして、図２の例においては、左から第３番目の属性アイコンＡ3の位置（点線の長方形ＨREFにより示す）が、水平方向における基準位置となるものであり、所定の操作をしたとき、属性アイコンＡ1〜Ａ8が水平方向にスクロールされ、基準位置ＨREFに位置する属性アイコンが以後の操作あるいは処理の対象となるものである。
【００２９】
そして、図２の状態では、基準位置ＨREFに属性アイコンＡ3が位置しているので、その基準位置ＨREFの下側に、この属性アイコンＡ3が対応するビデオレコーダを示す文字列「ビデオ」が表示されるとともに、ビデオレコーダから得られるコンテンツのフォルダ（あるいはそのフォルダにリンクしたアイコン）Ｆ1〜Ｆ3が垂直方向に１列に表示され、基準位置ＨREFの上側に、ビデオレコーダの操作用のアイコンＭ1、Ｍ2が垂直方向に１列に表示されている。
【００３０】
この場合、フォルダＦ1は、この発明による方法で番宣のサムネイルを収納したフォルダであり、フォルダＦ2、Ｆ3は、別の方法、例えば従来の方法で番組や番宣を録画したり、分類したりした場合に、フォルダＦ1と同様の働きをするフォルダである。
【００３１】
さらに、アイコンＭ1は、ビデオレコーダのモードを上述した〔２−１〕の録画時のモードに遷移させるためのものであり、アイコンＭ2は、予約録画の方法を、例えば上記(A)〜(D)の間で切り換えるモードに遷移させるためのアイコンである。
【００３２】
そして、所定の操作をすると、例えば図３に示すように、基準位置ＨREFのすぐ下のフォルダ、すなわち、フォルダＦ1の周囲に長方形のカーソルCSRが表示され、このカーソルCSRに囲まれたフォルダＦ1が以後の操作あるいは処理の対象となる。このため、フォルダＦ1の右側には、フォルダＦ1が番組宣伝であることを示す文字列「番組宣伝」と、そのフォルダに収納されている番宣の数を示す数字「５」とが表示される。
【００３３】
つまり、フォルダＦ1の位置が、垂直方向における基準位置となるものであり、所定の操作をすると、フォルダＦ2、Ｆ3が上方向にスクロールされ、図３のカーソルCSRの位置にフォルダＦ2が位置し、その下側に続くフォルダＦ3が表示される。また、逆の所定の操作をすると、アイコンＭ1、Ｍ2が下方向にスクロールされ、カーソルCSRの位置に、アイコンＭ1が位置し、アイコンＡ3の上側に続くアイコンＭ2が表示される。
【００３４】
なお、フォルダＦ3に続いてフォルダがある場合、およびアイコンＭ2に続いてアイコンのある場合も同様に表示が変更される。なお、この垂直方向のスクロール時、属性アイコンＡ1〜Ａ8が移動することはない。
【００３５】
そして、図３の状態、すなわち、カーソルCSRの位置にフォルダＦ1が位置している状態で、決定の操作をすると、例えば図４に示すように、現在操作の対象となっている属性アイコンＡ3およびフォルダＦ1が、表示画面SCRNの左側に移動する。そして、フォルダＦ1の右側には、このフォルダＦ1に収納されている番宣のサムネイルＴ1、Ｔ2、Ｔ3、・・・が表示される。このとき、フォルダＦ1の右側に第１番目のサムネイルＴ1が表示され、他のサムネイルＴ2、Ｔ3が、サムネイルＴ1に続いて下方向に向かって順に表示される。
【００３６】
さらに、第１番目のサムネイルＴ1の周囲には、枠状にカーソルCSRが表示される。そして、今の場合、フォルダＦ1には５つの番宣が収納されているのに対し、表示画面SCRNには、サムネイルＴ1〜Ｔ3までしか表示されないので、所定の操作をすると、サムネイルＴ2〜Ｔ5が上方向にスクロールされ、カーソルCSRの位置に、サムネイルＴ2〜Ｔ5が順次表示されていく。すなわち、所定の操作をすると、カーソルCSRの位置にサムネイルが垂直方向にスクロールされる。
【００３７】
また、このとき、表示されているサムネイルＴ1〜Ｔ3（Ｔ4、Ｔ5）の右側には、そのサムネイルとして表示されている番宣が対応する番組の名称ＴTと、その放送日時ＴD、放送時間ＴHを示す文字列がそれぞれ表示される。
【００３８】
さらに、表示画面SCRNの右側のエリアARRの上側には、サムネイルＴ1〜Ｔ5そのものに対する処理を指示する複数のコマンドＴCMDが表示され、下側にはサムネイルＴ1〜Ｔ5により示される番宣に対する処理を指示する複数のコマンドＰCMDが表示される。この場合、サムネイルＴ1〜Ｔ5に対するコマンドＴCMDとしては、サムネイルＴ1〜Ｔ5の編集や並べ替えなどがあり、番宣に対するコマンドＰCMDとしては、番宣の再生、番宣が対応している番組の録画の予約、番宣の消去、番宣の誤消去防止のためのプロテクトなどがある。
【００３９】
ただし、このエリアARRにおけるコマンドＴCMD、ＰCMDは、ユーザ（視聴者）の操作により表示・非表示を切り換えができるようにもされている。
【００４０】
そして、所定の操作を行うと、これらコマンドＴCMD、ＰCMDを選択するためのカーソルCMDCSRが、順にそれぞれのコマンドの間を移動する。この結果、例えば図４に示すように、カーソルCSRの位置にサムネイルＴ1が表示されている場合に、カーソルCMDCSRによりコマンドＰCMDのうちの「再生」の選択・実行を指示すると、サムネイルＴ1に対応する番宣、図４の場合には、「富士山」の番宣が再生され、その動画映像が表示画面SCRNに表示される。
【００４１】
あるいは、カーソルCSRの位置にサムネイルＴ1が表示されている場合に、カーソルCMDCSRによりコマンドＰCMDのうちの「この番組を予約」の選択・実行を指示すると、サムネイルＴ1の番宣が示す番組、図４の場合には、「富士山」の番組の録画がビデオレコーダに予約される。
【００４２】
したがって、〔２−２−１〕によれば、文字列○○を含む番宣を再生したり、その番宣に対応する番組の録画の予約をすることができる。
【００４３】
※〔２−１〕、〔２−２−１〕のまとめ
〔２−１〕、〔２−２−１〕によれば、あらかじめ文字列○○をビデオレコーダに登録しておくと、その文字列○○を含む番宣がビデオレコーダに順次録画され、この番宣を再生したり、その番宣から対応する番組の録画の予約をすることができる。
【００４４】
そして、この場合、文字列○○の登録は、すべての番宣および番組に共通であるとともに、一度行っておくだけでよく、したがって、番組ごとに録画の予約を設定する必要がなく、操作が簡単である。また、録画したい番組をあらかじめ知っておく必要もなく、見たい番組の録画を見逃すこともない。
【００４５】
さらに、ＥＣＧは対応する番組についての詳細な情報を含んでいるので、目的とする番組の番宣を確実に録画することができる。したがって、その番宣の内容から該当する番組を録画するか否かを判断することができ、ユーザにとってあまり見る価値のない番組の全編を見る必要がない。そして、番組を録画する場合には、ワンタッチで予約することができる。
【００４６】
また、番宣が例えば映画や商品の番宣の場合には、その番宣の表示画面SCRNにその映画のチケットや商品を販売するサイトを表示およびリンクさせておくことにより、その番宣のサムネイルを選択・指示したとき、そのサイトに接続して映画のチケットや商品の購入（あるいは予約）ができ、このとき、シームレスな購入ができる。あるいはＵＲＬをその番組を紹介するサイトにリンクさせておくこともできる。
【００４７】
〔２−２−２〕  第２の表示方法による録画の設定
図５は、第２の表示方法による表示例を示す。ただし、図５は、図２の状態からカーソルCSRの位置にフォルダＦ1を表示させた場合である。そして、この例においては、カーソルCSRの位置にフォルダＦ1を表示させると、このフォルダＦ1に収納されている番宣を直接表示することを示す文字列「番組宣伝Ｖｉｅｗ」と、その収納されている番宣の数を示す数字「１１」とが表示される。
【００４８】
そして、この図５の表示状態で、決定の操作をすると、表示画面SCRNは例えば図６に示すような表示状態に切り換えられる。すなわち、表示画面SCRNの右側のエリアARRの最上部には、キーワードKYWDが表示され、このキーワードKYWDの下側に、フォルダＦ1に収納されている番宣のうち、キーワードKYWDにしたがって選択された番宣の番組の番組名ＰTTLがリスト形式で表示される。なお、キーワードKYWDの左右には、そのキーワードKYWDを切り換えるためのボタンKYBNが表示される。
【００４９】
また、番組名ＰTTLのうちの１つ、図６においては、番組名「富士山」にカーソルTTLCSRが表示されるとともに、このカーソルTTLCSRが表示されている番組の番宣が再生され、表示画面SCRNの左側および中央のエリアARLのうち、上下の中央のエリアARLMに、その番宣の動画映像が表示される。さらに、エリアARLの上側のエリアARLUには、その番宣に対応する番組の名称、今の場合、「富士山」が表示され、エリアARLの下側のエリアARLLには、この番組に関連する各種の情報が表示される。
【００５０】
さらに、例えば中央のエリアARLMの右下側には、予約ボタンRSVBが表示され、この予約ボタンRSVBを操作すると、この番宣の番組の録画が予約される。
【００５１】
そして、カーソルTTLCSRが表示されている番組名ＰTTLの番組の番宣が再生されてエリアARLMに表示されるので、所定の操作により番組名ＰTTLに対してカーソルTTLCSRを順に移動させていくと、一般のテレビ受像機においてチャンネルを切り換えていくときのように、番宣を切り換えて表示していくことができ、番宣を容易に選択することができる。
【００５２】
また、上述のように番宣のメタデータにＵＲＬを含む場合には、そのＵＲＬをエリアARLLに表示するとともに、そのＵＲＬを、映画の前売りチケットの購入先、映画館の予約、主題歌・挿入歌の購入方法などを案内するサイトにリンクさせておくことにより、そのサイトに接続して映画のチケットや商品の購入（あるいは予約）ができる。
【００５３】
〔２−３〕  他の分類方法
上述の〔２−２−１〕、〔２−２−２〕においては、図３あるいは図５に示すように、すべての番宣を１つのフォルダＦ1にまとめて収集（ないし収納）し、このフォルダＦ1に収集しておいた番宣の中から図４の状態を通じて、あるいは図６に示すように、目的とする番宣を表示する場合であるが、番宣を所定の条件で分類し、その分類結果をそれぞれのフォルダに収集することもできる。
【００５４】
図７は、そのような分類・収納方法の場合の表示例を示す。ただし、図７は、図２の状態からフォルダＦ1を選択した場合である。そして、フォルダＦ1を選択すると、このフォルダＦ1に含まれるサブフォルダＦ11〜Ｆ14が表示される。このサブフォルダＦ11〜Ｆ14は、この例においては、テレビ局（放送チャンネル）ごとに用意されているものであり、このサブフォルダＦ11〜Ｆ14の右側には、それぞれのサブフォルダが対応するテレビ局の名称（例えば、○○テレビ）と、そのサブフォルダに収納されて番宣の数とが表示される。
【００５５】
なお、サブフォルダＦ14に続くサブフォルダＦ15（およびそれ以降）がある場合には、所定の操作をすると、サブフォルダＦ12以降が１つずつ上方向にスクロールされる。つまり、図３におけるフォルダＦ1〜Ｆ3と同様にスクロールされる。
【００５６】
そして、図７の表示状態では、カーソルCSRの位置にサブフォルダＦ11が表示されているので、この状態で所定の操作をすると、サブフォルダＦ11に収納されている番宣、すなわち、今の場合、「○○テレビ」の番宣のサムネイルが、図４と同様に、あるいは図６と同様に表示され、〔２−２−１〕あるいは〔２−２−２〕において説明したように、番宣の再生が可能とされるとともに、その番宣に対応する番組の録画の予約などが可能とされる。
【００５７】
こうして、この例においては、番宣をより細かく分類して収集することができ、サブフォルダを、例えばテーマ別やジャンル別などとすることもでき、番宣をより便利に収集することができる。
【００５８】
〔３〕  ビデオレコーダの構成例
図８は、この発明をハードディスクレコーダに適用した場合の一例を示し、このビデオレコーダは、チューナ回路１１およびハードディスクドライブ１２を有する。この例においては、チューナ回路１１は、地上アナログテレビ放送、地上デジタルテレビ放送、ＢＳテレビ放送およびＣＳテレビ放送を受信できるものである。このチューナ回路１１の受信バンドの切り換えおよび各受信バンドにおけるチャンネルの切り換えは、後述するシステム制御回路２０により実行され、受信した放送波信号からデジタル映像信号およびデジタル音声信号が取り出されてシステム制御回路２０に供給される。
【００５９】
また、ハードディスクドライブ１２は、番宣や番組を保存ないし記憶するための記憶装置であるとともに、ＯＳおよび各種のアプリケーションプログラムを保存している。このアプリケーションプログラムの一部として、上述の〔２〕の表示処理、録画および再生処理を実行するためのルーチンが含まれるが、図９あるいは図１０にその処理を実現するルーチン１００の一例を示す。なお、図９および図１０においては、ルーチン１００は、この発明に関係する部分だけを抜粋して示している。
【００６０】
そして、このハードディスクドライブ１２もシステム制御回路２０により制御されるものであり、録画時、チューナ回路１１から出力された映像信号および音声信号が、ハードディスクドライブ１２に供給されて書き込まれ、再生時、ハードディスクドライブ１２から映像信号および音声信号が読み出され、システム制御回路２０に供給される。
【００６１】
さらに、システム制御回路２０に供給された映像信号は、映像処理回路１３に供給されてＤ／Ａ変換などの処理が行われてからコネクタ１４を通じてディスプレイ３１に供給され、その表示画面SCRNに画像として表示される。また、システム制御回路２０に供給された音声信号は、音声処理回路１５に供給されてＤ／Ａ変換などの処理が行われてからコネクタ１６を通じてスピーカ３２に供給され、音響として出力される。
【００６２】
また、システム制御回路２０は、マイクロコンピュータにより構成されているもので、これは、各種のプログラムを実行するＣＰＵ２１と、イニシャルプログラムローダが保存されている不揮発性メモリ２２と、ワークエリア用のＲＡＭ２３とを有する。さらに、システム制御回路２０は、時刻を計時する時計回路２４と、コーデック２５と、通信回路２６とを有する。
【００６３】
この場合、コーデック２５は、チューナ回路１１から出力されるデジタル信号（映像信号および音声信号）がハードディスクドライブ１２に書き込まれるとき、そのデジタル信号をエンコード処理するとともに、ハードディスクドライブ１２から読み出されたデジタル信号が処理回路１３、１５に供給されるとき、そのデジタル信号をもとの信号にデコード処理するものである。
【００６４】
また、通信回路２６はコネクタ２７を通じてインターネット４０に接続され、インターネット４０には、ＥＣＧデータを提供するサーバ５０が接続されている。このサーバ５０が提供するＥＣＧデータは、それぞれの放送局が直接提供することもできるが、一般的には、専門のＥＣＧ制作会社が放送局から委託を受け、番組のシナリオから制作して提供するものである。
【００６５】
さらに、例えば赤外線式のリモコン（遠隔操作）の送信機３３が用意され、この送信機３３から出力される赤外線信号が受信回路３４により受信されてシステム制御回路２０に供給される。また、システム制御回路２０には、このビデオレコーダに対する一部の操作をリモコンによらずに直接の操作により実行するための各種の操作キー３５も接続される。なお、リモコンの送信機３３は、〔２〕において説明した各種の操作を実現するための各種の操作キーやダイヤルを有するものである。
【００６６】
このような構成において、送信機３３を操作すると、その操作内容が送信機３３からの赤外線によりシステム制御回路２０に通知される。そして、その操作が例えばレコーダの主電源をオンにする操作の場合には、ＣＰＵ２１により不揮発性メモリ２３のイニシャルプログラムローダが実行され、ハードディスクドライブ１２からＯＳが読み出されてＲＡＭ２３に転送され、次にこの転送されたＯＳによりハードディスクドライブ１２からルーチン１００などのアプリケーションプログラムが読み出されてＲＡＭ２３に転送され、そのアプリケーションプログラムが実行される。
【００６７】
この結果、送信機３３の操作にしたがって、チューナ回路１１における受信バンドおよびチャンネルの切り換え、受信した番組の録画や再生、〔２〕の表示処理などが実現される。なお、サーバ５０からＥＣＧデータを受信したときには、そのＥＣＧデータはハードディスクドライブ１２に保存される。また、ユーザの設定した情報やその処理結果もハードディスクドライブ１２に保存され、必要なときに読み出されて使用される。
【００６８】
〔４〕  処理ルーチンの例
上述の〔２−２〕の表示処理、録画および再生処理は、ルーチン１００により以下のように行われる。
【００６９】
〔４−１〕  第１の表示方法の場合（〔２−２−１〕の場合）
電源がオンとされてルーチン１００がハードディスクドライブ１２からＲＡＭ２３に転送されると、ＣＰＵ２１の処理はルーチン１００のステップ１０１からスタートし、次にステップ１０２において、ディスプレイ３１の表示画面SCRNは例えば図２に示す内容とされ、その後、ステップ１０３において、入力待ちとなる。
【００７０】
そこで、番宣を録画するモードを選択すると、処理はステップ１０３からステップ１０４に進み、ステップ１０３により選択されたモードが判別され、今の場合、番宣の録画なので、処理はステップ１０４からステップ１１１に進む。そして、ステップ１１１においては、録画する番宣に対するキーワードの入力待ちとなる。ただし、キーワードがすでに入力されていて新しく入力する必要のないときには、何も入力しないで、決定の操作をすることにより処理はステップ１１１からステップ１１２に進む。
【００７１】
そして、このステップ１１２において、通信回路２６によりインターネット４０を通じてＥＣＧサーバ５０からＥＣＧデータが取得され、次にステップ１１３において、ステップ１１２により取得されたＥＣＧデータのうち、ステップ１１１により入力されたキーワード（および過去に入力されたキーワード）を含む番宣が選択されるとともに、その番宣のＥＣＧデータ（受信バンド、受信チャンネル、番組の開始時刻ｔS、番宣の開始時刻ｔiSおよび放送時間ＴiDのデータを含む）が取り出され、このデータがハードディスクドライブ１２にいったん保存される。
【００７２】
続いて、ステップ１１４において、ステップ１１３により保存された番組の開始時刻ｔSおよび番宣の開始時刻ｔiSと、時計回路２４が示す現在の時刻とが比較され、両者が一致したとき、すなわち、番宣の開始時刻（ｔs＋ｔiS）になると、処理はステップ１１５に進み、その番宣のハードディスクドライブ１２への録画が開始され、放送時間ＴiDを経過すると、その録画が終了とされる。したがって、ステップ１１５において、ステップ１１３により選択された番宣がハードディスクドライブ１２に録画されたことになる。
【００７３】
そして、この録画を終了すると、処理はステップ１１６に進み、他に録画すべき番宣があるか否かが判別され、あるときには、処理はステップ１１６からステップ１１４に戻る。したがって、ステップ１１５において、ステップ１１３により選択されたすべての番宣がハードディスクドライブ１２に順に録画されていくことになる。
【００７４】
また、ステップ１１６において、他に録画すべき番宣がないときには、処理はステップ１１６からステップ１０２に戻り、表示画面SCRNが更新されてからユーザの次の入力待ちとなる。
【００７５】
こうして、ステップ１１１〜１１６によれば、(1)〜(3)で述べたように、あらかじめ設定しておいたキーワードを含む番宣がハードディスクドライブ１２に録画される。
【００７６】
一方、ステップ１０３において入力待ちのとき、番宣の表示の操作を行うと、処理はステップ１０３からステップ１０４を通じてステップ１２１に進み、このステップ１２１において、ユーザの操作にしたがって例えば図３の表示状態から図４の表示状態へと進む。なお、このとき、送信機３３の操作にしたがって、〔２−２−１〕において説明したように、操作の入力を受け付ける状態となるともに、その操作に対応して表示の状態が切り換えられる。
【００７７】
そこで、番宣の再生のための操作を行うと、処理はステップ１２１からステップ１２２に進み、番宣の再生であることが判別され、処理はステップ１２２からステップ１３１に進む。そして、このステップ１３１において、ステップ１２１からステップ１２２に進むときに選択されていた番宣がハードディスクドライブ１２から読み出され、ディスプレイ３１の表示画面SCRNに表示される。すなわち、〔２−２−１〕による番宣の再生が行われたことになる。そして、この番宣の再生を終了すると、処理はステップ１３１からステップ１２１に戻り、再び図４の表示状態となる。
【００７８】
また、ステップ１２１において、番組の録画の予約の操作を行うと、処理はステップ１２１からステップ１２２に進み、番組の録画の予約であることが判別され、処理はステップ１２２からステップ１４１に進む。そして、このステップ１４１において、ステップ１１２により取得したＥＣＧデータから受信バンド、受信チャンネル、番組の放送開始時刻および放送時間のデータが取り出され、これがハードディスクドライブ１２に保存されて録画予約が設定され、その後、処理はステップ１２１に戻る。したがって、今の場合、〔２−２−１〕における番組の録画の予約が行われたことになる。
【００７９】
〔４−２〕  第２の表示方法の場合（〔２−２−２〕の場合）
この場合には、例えば図１０に示すルーチン１００が実行される。このルーチン１００は、図９のルーチン１００のステップ１０１からステップ１２１までは同じであり、ユーザの操作にしたがって例えば図５の表示状態から図６の表示状態へと進み、さらに、ステップ１３１において、カーソルTTLCSRが位置している番組名ＰTTLの番宣がハードディスクドライブ１２から読み出されて表示画面SCRNに表示される。
【００８０】
なお、このとき、送信機３３の操作にしたがって、〔２−２−２〕において説明したように、操作の入力を受け付ける状態となるとともに、その操作に対応して表示される番宣が切り換えられる。
【００８１】
そして、任意の番宣が表示されている場合に、予約ボタンRSVBを操作すると、処理はステップ１３１からステップ１４１に進み、その番宣の番組の録画が予約され、その後、処理はステップ１３１に戻る。
【００８２】
また、任意の番宣が表示されている場合に、例えば表示画面SCRNのエリアARLLにＵＲＬが表示されているとき、これを選択すると、処理はステップ１３１からステップ１５１に進み、このステップ１５１において、この番宣のＥＣＧデータからリンク先のＵＲＬが取得され、次にステップ１５２において、通信回路２６を通じて、さらに、インターネット４０を通じて、そのリンク先にジャンプないし接続し、そのサイトが利用できる状態となる。したがって、今の場合、〔２−２−２〕における番組の予約録画が行われ、あるいはリンク先のサイトを利用できることになる。
【００８３】
〔５〕  まとめ
上述のビデオレコーダによれば、あらかじめ文字列○○を登録しておくと、その文字列○○を含む番宣がビデオレコーダに順次録画され、この番宣を再生したり、その番宣から対応する番組の録画の予約をすることができる。
【００８４】
そして、この場合、文字列○○の登録は、すべての番宣および番組に共通であるとともに、一度行っておくだけでよく、したがって、番組ごとに録画の予約を設定する必要がなく、操作が簡単である。また、録画したい番組をあらかじめ知っておく必要もなく、見たい番組の録画を見逃すこともない。
【００８５】
さらに、ＥＣＧは対応する番組についての詳細な情報を含んでいるので、目的とする番組の番宣を確実に録画することができる。したがって、その番宣の内容から該当する番組を録画するか否かを判断することができ、ユーザにとってあまり見る価値のない番組の全編を見る必要がない。そして、番組を録画する場合には、ワンタッチで予約することができる。
【００８６】
また、番宣が例えば映画や商品の番宣の場合には、その番宣の表示画面にその映画のチケットや商品を販売するサイトを表示およびリンクさせておくことにより、その番宣のサムネイルを選択・指示したとき、そのサイトに接続して映画のチケットや商品の購入（あるいは予約）ができ、このとき、シームレスな購入ができる。あるいはＵＲＬをその番組を紹介するサイトにリンクさせておくこともできる。
【００８７】
〔６〕  その他
上述においては、〔２−２−２〕の場合に、リンク先を表示してそのリンク先にジャンプできるとしたが、〔２−２−１〕の場合にも、番宣の表示されているときに、同様にリンク先を表示してそのリンク先にジャンプすることもできる。
【００８８】
また、〔２−２−１〕、〔２−２−２〕、〔２−３〕の表示方法は、ユーザが選択できるようにすることもできる。さらに、上述において、ビデオレコーダに登録しておく文字列○○は単数であっても、複数であってもよく、複数の場合には、番宣の検索時、アンド条件やオア条件などの条件を付けることもできる。
【００８９】
さらに、上述においては、カーソルCSRがアイコンやフォルダの周囲を囲む長方形であるとしたが、カーソルCSRは、対象となるアイコンやフォルダを識別できるようにする表示であればよく、例えば、矢印の表示、反転表示、フォルダの背景色の変更などとすることもできる。これは、他のカーソルについても同様である。
【００９０】
また、上述においては、ＥＣＧデータをサーバ５０からインターネット４０経由で得るとしたが、チューナ回路１１が受信する放送に、データの一部として含ませておくこともできる。さらに、リモコンの送信機３３に代えて（あるいは加えて）マウスなどのポインティングデバイスを使用することもできる。
【００９１】
〔略語の一覧〕
ＣＰＵ：Central Processing Unit
Ｄ／Ａ：Digital to Analog
ＥＣＧ：Electronic Content Guide
ＥＰＧ：Electronic Program Guide
ＩＤ  ：IDentification
ＯＳ  ：Operating System
ＲＡＭ：Random Access Memory
ＵＲＬ：Uniform Resource Locator
【図面の簡単な説明】
【００９２】
【図１】この発明を説明するための図である。
【図２】この発明における表示画面の一形態を示す図である。
【図３】この発明における表示画面の一形態を示す図である。
【図４】この発明における表示画面の一形態を示す図である。
【図５】この発明における表示画面の他の形態を示す図である。
【図６】この発明における表示画面の他の形態を示す図である。
【図７】この発明における表示画面の他の形態を示す図である。
【図８】この発明の一形態を示す系統図である。
【図９】この発明の一形態を示すフローチャートである。
【図１０】この発明の他の形態を示すフローチャートである。
【符号の説明】
【００９３】
１１…チューナ回路、１２…ハードディスクドライブ、１３…映像処理回路、１５…音声処理回路、２０…システム制御回路（マイクロコンピュータ）、２１…ＣＰＵ、２２…不揮発性メモリ、２３…ＲＡＭ、２４…時計回路、２５…コーデック、２６…通信回路、３１…ディスプレイ、３２…スピーカ、３３…リモコンの送信機、３４…リモコン受信回路、３５…操作キー、４０…インターネット、５０…ＥＣＧサーバ、Ａ1〜Ａ8…属性アイコン、Ｆ1〜Ｆ3…フォルダ、SCRN…表示画面
【図１】
0005019114.tif 000002
【図２】
0005019114.tif 000003
【図３】
0005019114.tif 000004
【図４】
0005019114.tif 000005
【図５】
0005019114.tif 000006
【図６】
0005019114.tif 000007
【図７】
0005019114.tif 000008
【図８】
0005019114.tif 000009
【図９】
0005019114.tif 000010
【図１０】
0005019114.tif 000011